(57)【要約】【課題】簡易担架としても使用でき、構成が比較的簡素で、しかも使いやすい敷きパッドを提供する。【解決手段】本考案に係る敷きパッド１Ａは、クッション性を有する長方形のパッド本体部２と、パッド本体部２の長手方向に沿った縁部に所定の間隔をおいて形成された第１把持用切れ込み部４１とを備え、第１把持用切れ込み部４１は、長手中心線Ｌ−Ｌを挟んで対称に配置されている。また、パッド本体部２は、中綿３と、中綿３を包み込む表地２１及び裏地２２とから構成され、キルティング加工が施されていることが好ましい。【選択図】図１
0003149848.tif 000002
【実用新案登録請求の範囲】
【請求項１】
クッション性を有する長方形のパッド本体部と、
前記パッド本体部の長手方向に沿った縁部に所定の間隔をおいて形成された第１把持用切れ込み部と、
を備え、前記第１把持用切れ込み部は、前記長手方向に沿った前記パッド本体部の長手中心線を挟んで対称に配置されていることを特徴とする敷きパッド。
【請求項２】
前記パッド本体部の短手方向に沿った縁部に所定の間隔をおいて形成された第２把持用切れ込み部と、
をさらに備え、前記第２把持用切れ込み部は、前記短手方向に沿った前記パッド本体部の短手中心線を挟んで対称に配置されていることを特徴とする請求項１に記載の敷きパッド。
【請求項３】
前記長手方向に沿った縁部であって、前記第１把持用切れ込み部のそれぞれから前記長手中心線側に所定の間隔だけずれた位置に形成された第３把持用切れ込み部と、
をさらに備えていることを特徴とする請求項１または２に記載の敷きパッド。
【請求項４】
前記パッド本体部は、中綿と、該中綿を挟む表地及び裏地とから構成され、キルティング加工が施されていることを特徴とする請求項１〜３のいずれかに記載の敷きパッド。
【考案の詳細な説明】
【技術分野】
【０００１】
本考案は、そのまま簡易担架としても使用することができる、クッション性を有する敷きパッドに関する。
【背景技術】
【０００２】
ベッドで就寝する際は、マットレス上に敷きパッドを敷いてその上に就寝することが多い。敷きパッドによれば、そのクッション性により心地よく眠りに就くことができるとともに、特に夏場においてマットレスに汗がしみ込むのを防止することができる。
【０００３】
ところで、自力で起き上がれない要介護人や高齢者のための敷きパッドとして、当該パッド上に横になっている要介護人等をそのまま搬送する簡易担架としても使用できるものが知られている（例えば、非特許文献１参照）。この敷きパッドは、裏面側に複数のベルト状の取っ手が設けられており、搬送者は、この取っ手を把持して敷きパッドを要介護人等ごと持ち上げ、要介護人等を搬送する。
【先行技術文献】
【非特許文献】
【０００４】
【非特許文献１】「防災・避難用品 SURVIVAL GOODS CATALOG 2007-2008」、日本ドライケミカル株式会社、２００７年５月、Ｐ．１２
【考案の概要】
【考案が解決しようとする課題】
【０００５】
しかしながら、この従来の敷きパッドでは、取っ手とパッド本体との取り付け部分に要介護人等の全体重がかかるので、必要な強度を確保するために構成が複雑にならざるを得なかった。
【０００６】
そこで本考案は、簡易担架としても使用でき、構成が比較的簡素で、しかも使いやすい敷きパッドを提供することを課題とする。
【課題を解決するための手段】
【０００７】
上記課題を解決するために、本考案に係る敷きパッドは、クッション性を有する長方形のパッド本体部と、前記パッド本体部の長手方向に沿った縁部に所定の間隔をおいて形成された第１把持用切れ込み部とを備え、前記第１把持用切れ込み部は、前記長手方向に沿った前記パッド本体部の長手中心線を挟んで対称に配置されていることを特徴とする。
【０００８】
この構成によれば、ベルト状の取っ手のような別部材を用意する必要がなく、構成を比較的簡素にすることができ、しかも取っ手を取り付けた場合に比べて比較的容易に必要な強度を確保することができる。
【０００９】
また、上記敷きパッドは、前記パッド本体部の短手方向に沿った縁部に所定の間隔をおいて形成された第２把持用切れ込み部をさらに備え、前記第２把持用切れ込み部は、前記短手方向に沿った前記パッド本体部の短手中心線を挟んで対称に配置されていることが好ましい。
【００１０】
この構成によれば、パッド本体部の全ての辺を把持することができるので、バランス良く要介護人等を搬送できる。
【００１１】
また、上記敷きパッドは、前記長手方向に沿った縁部であって、前記第１把持用切れ込み部のそれぞれから前記長手中心線側に所定の間隔だけずれた位置に形成された第３把持用切れ込み部をさらに備えていることが好ましい。
【００１２】
この構成によれば、パッド本体部の面積に対して搬送される要介護人等がかなり小さい場合には、第１把持用切れ込み部よりも要介護人等に近い位置に形成した第３把持用切れ込み部を把持することができるので、パッド本体部がたわんで搬送しづらくなるのを防止することができる。
【００１３】
さらに、上記敷きパッドにおける前記パッド本体部は、中綿と、該中綿を挟む表地及び裏地とから構成され、キルティング加工が施されていることが好ましい。
【考案の効果】
【００１４】
本考案によれば、簡易担架としても使用でき、構成が比較的簡素で、しかも使いやすい敷きパッドを提供することができる。
【図面の簡単な説明】
【００１５】
【図１】実施例１に係る敷きパッドの図であって、（Ａ）は全体斜視図、（Ｂ）は断面模式図である。
【図２】実施例２に係る敷きパッドの全体斜視図である。
【図３】実施例３に係る敷きパッドの全体斜視図である。
【考案を実施するための形態】
【００１６】
以下、添付図面を参照して、本考案に係る敷きパッドの好ましい実施形態について説明する。
【実施例１】
【００１７】
図１に、実施例１に係る敷きパッド１Ａを示す。図１において、（Ａ）は敷きパッド１Ａの全体斜視図、（Ｂ）は（Ａ）の線Ｂ−Ｂにおける断面模式図である。敷きパッド１Ａは主にパッド本体部２からなり、その縁部に当該パッド本体部２を把持して持ち上げるための把持用切れ込み部４１が形成されている。
【００１８】
さらに詳しくは、敷きパッド１Ａは、約２００ｃｍ（長手方向）×約１００ｃｍ（短手方向）の寸法を有し、中綿３と、中綿３を挟み込む表地２１及び裏地２２とから構成される。図１（Ａ）に示すように、敷きパッド１Ａには中綿３を挟んで表地２１と裏地２２とを縫い合わせるキルティング加工が施されており、表地２１と裏地２２との間で中綿３が移動して、クッション性に偏りが生じるのを防いでいる。
【００１９】
第１把持用切れ込み部４１は、パッド本体部２の長手方向に沿った縁部に所定の間隔をおいて形成されている。また、第１把持用切れ込み部４１は、パッド本体部２の長手中心線Ｌ−Ｌを挟んで対称に配置されている。本実施例において、パッド本体部２の端部から第１把持用切れ込み部４１までの距離は約１５ｃｍである。また、長手方向に沿った各縁部には、それぞれ４つの第１把持用切れ込み部４１が形成されている。
【００２０】
形成する把持用切れ込み部４１の数量は、例えば、ＪＩＳ  Ｌ  １０９６  Ｂ法（グラブ法）に準拠した引張強度試験の結果に基づいて決定する。例えば、把持用切れ込み部４１の１つあたりの引張強度が３０ｋｇで、想定される最大荷重が２００ｋｇの場合は、把持用切れ込み部４１の数量は７以上の偶数にしなければならない。
【００２１】
なお、把持用切れ込み部４１の１つあたりの引張強度は、図１（Ｂ）に示すような態様で補強布５をあてがうことにより、比較的簡単に改善することができる。
【００２２】
搬送者は、裏地２２側から把持用切れ込み部４１に手指を差し込んでパッド本体部２の縁部を把持する。本実施例では、長手方向に沿った各縁部にそれぞれ４つの第１把持用切れ込み部４１が形成されているので、左右２人ずつに分かれた合計４人の搬送者で要介護人等を搬送する。
【００２３】
以上のように、実施例１に係る敷きパッド１Ａによれば、パッド本体部２を把持するためにベルト状の取っ手のような別部材を用意する必要がなく、また把持用切れ込み部４１の引張強度を高めることも比較的容易なので、構成を簡素にすることができる。また、パッド本体部２は中綿を有しているので、クッション性が良く、寝心地がよい。
【実施例２】
【００２４】
図２に、実施例２に係る敷きパッド１Ｂを示す。敷きパッド１Ｂは、第１把持用切れ込み部４１に加え、さらに第２把持用切れ込み部４２を備えている点において、図１の敷きパッド１Ａと異なっている。
【００２５】
第２把持用切れ込み部４２は、パッド本体部２の短手方向に沿った縁部に所定の間隔をおいて形成されている。また、第２把持用切れ込み部４２は、パッド本体部２の短手中心線Ｗ−Ｗを挟んで対称に配置されている。本実施例において、パッド本体部２の端部から第２把持用切れ込み部４２までの距離は約１５ｃｍである。
【００２６】
また、本実施例では、短手方向に沿った各縁部にそれぞれ２つの第２把持用切れ込み部４２が形成され、長手方向に沿った各縁部にそれぞれ４つの第１把持用切れ込み部４１が形成されている。したがって、本実施例では、左右各２人、頭側１人、足先側１人の計６人の搬送者で要介護人等を搬送する。
【００２７】
以上のように、実施例２に係る敷きパッド１Ｂによれば、パッド本体部２の四辺全てを把持することができるので、バランス良く要介護人等を搬送することができる。
【実施例３】
【００２８】
図３に、実施例３に係る敷きパッド１Ｃを示す。敷きパッド１Ｃは、第１把持用切れ込み部４１に加え、さらに第３把持用切れ込み部４３を備えている点において、図１の敷きパッド１Ａと異なっている。
【００２９】
図３に示すように、第３把持用切れ込み部４３は、第１把持用切れ込み部４１のそれぞれから長手中心線Ｌ−Ｌ側に所定の間隔だけずれた位置に形成されている。本実施例では、長手方向に沿った各縁部に、第１把持用切れ込み部４１及び第３把持用切れ込み部４３がそれぞれ４つずつ形成されている。また、パッド本体部２の端部から第１把持用切れ込み部４１までの距離は約７．５ｃｍで、第１把持用切れ込み部４１から第３把持用切れ込み部４３までの距離も約７．５ｃｍである。
【００３０】
この構成によれば、搬送者は、端部に近い第１把持用切れ込み部４１でパッド本体部２を把持するか、要介護人等に近い第３把持用切れ込み部４３でパッド本体部２を把持するかを任意に選択することができる。
【００３１】
したがって、実施例３に係る敷きパッド１Ｃによれば、パッド本体部２の面積に対して要介護人等がかなり小さい場合には第３把持用切れ込み部４３を把持し、そうでない場合は第１把持用切れ込み部４１を把持することで、パッド本体部２のたわみを緩和し、より楽に要介護人等の搬送を行うことができる。
【００３２】
以上、本考案に係る敷きパッドの好ましい実施形態について説明したが、本考案はこれらの構成に限定されるものではない。
例えば、パッド本体部２は、通常の敷きパッドとして使用することができる程度のクッション性を有していればよく、キルティング加工を施したものに限定されない。また、表地２１及び裏地２２は、ひと続きの生地であってもよいし、別々の生地であってもよい。
また、上記したパッド本体部２の寸法は単なる一例であり、セミダブル、ダブル、その他の任意の寸法に変更することができる。
【符号の説明】
【００３３】
１Ａ    敷きパッド（実施例１）
１Ｂ    敷きパッド（実施例２）
１Ｂ    敷きパッド（実施例３）
２      パッド本体部
２１    表地
２２    裏地
３      中綿
４１    第１把持用切れ込み部
４２    第２把持用切れ込み部
４３    第３把持用切れ込み部
５      補強布
【図１】
0003149848.tif 000003
【図２】
0003149848.tif 000004
【図３】
0003149848.tif 000005